(57)【要約】【課題】リストデータの中から所望のデータを速く選択することができるリストデータ選択装置を提供する。【解決手段】リストデータ選択装置であるハンズフリーユニット１１は、複数のリストデータの各リストデータの表音文字列を生成する表音文字列生成部５２と、各リストデータの表音文字列の先頭から、設定された読み上げ範囲の表音文字列を出力する表音文字列抽出部５５と、出力された表音文字列を読み上げるための音声合成部５６とを有し、読み上げられた表音文字列の中から指定された表音文字列に対応するリストデータを選択する。【選択図】図４
2010002864.tif 000002
【特許請求の範囲】
【請求項１】
複数のリストデータの各リストデータの表音文字列を生成する表音文字列生成部と、
前記各リストデータの前記表音文字列の先頭から、設定された読み上げ範囲の表音文字列を出力する読み上げ範囲出力部と、
前記読み上げ範囲出力部から出力された表音文字列を読み上げるための音声合成部と、
読み上げられた複数の表音文字列の中から指定された表音文字列に対応するリストデータを選択する選択部と、
を有することを特徴とするリストデータ選択装置。
【請求項２】
前記音声合成部は、前記出力された表音文字列を、設定された速度で読み上げることを特徴とする請求項１に記載のリストデータ選択装置。
【請求項３】
出力される複数の前記設定された読み上げ範囲の表音文字列が同じ場合、前記読み上げ範囲出力部は、前記設定された読み上げ範囲の表音文字列をマージして一回だけ出力することを特徴とする請求項１又は２に記載のリストデータ選択装置。
【請求項４】
前記複数のリストデータを外部機器から通信により読み出すための通信インターフェース部を有することを特徴とする請求項１から３のいずれか１つに記載のリストデータ選択装置。
【請求項５】
複数のリストデータの各リストデータの表音文字列を生成し、
前記各リストデータの前記表音文字列の先頭から、設定された読み上げ範囲の表音文字列を出力し、
前記読み上げ範囲出力部から出力された表音文字列を読み上げ、
読み上げられた複数の表音文字列の中から指定された表音文字列に対応するリストデータを選択することを特徴とするリストデータ選択方法。
【発明の詳細な説明】
【技術分野】
【０００１】
本発明は、リストデータ選択装置及びその方法に関する。
【背景技術】
【０００２】
従来より、テキストデータを音声信号に変換して、内容を読み上げる装置がある。また、テキストデータを短時間で読み上げるようにするために、テキストデータを、通常よりも高速な音声信号に変換して読み上げさせることもできる。
【０００３】
例えば、このような装置の応用として、車両の運転者に対して、項目リストの中から特定の項目を選択あるいは設定させるために、項目リストの各データを読み上げさせる装置が提案されている（例えば、特許文献１参照）。
【０００４】
その提案に係る車両機器用情報提示装置は、運転者が運転中にリスト表示画面を見なくても済むようにするために、テキストを読み上げるときに、話速可変ダイヤルを操作することによって、読み上げ速度を上げることができる。
【０００５】
しかし、上述した装置あるいは応用装置では、項目リストのデータ量が多いと、目的の項目あるいはデータに到達するまでの時間が多く掛かってしまう。その結果、ユーザは、所望のデータを速く選択あるいは指定することができないという問題があった。
【０００６】
また、読み上げ速度を上げ過ぎると、ユーザの可聴範囲を超えてしまい、ユーザは読み上げられた項目あるいはデータを認識することができないという問題がある。
【特許文献１】特開2005-53331号公報
【発明の開示】
【発明が解決しようとする課題】
【０００７】
そこで、本発明は、ユーザが複数のリストデータの中から所望のデータを速く選択することができるリストデータ選択装置およびその方法を提供することを目的とする。
【課題を解決するための手段】
【０００８】
本発明の一態様によれば、複数のリストデータの各リストデータの表音文字列を生成する表音文字列生成部と、前記各リストデータの前記表音文字列の先頭から、設定された読み上げ範囲の表音文字列を出力する読み上げ範囲出力部と、前記読み上げ範囲出力部から出力された表音文字列を読み上げるための音声合成部と、読み上げられた複数の表音文字列の中から指定された表音文字列に対応するリストデータを選択する選択部と、を有するリストデータ選択装置を提供することができる。
【発明の効果】
【０００９】
本発明によれば、ユーザは複数のリストデータの中から所望のデータを速く選択することができる。
【発明を実施するための最良の形態】
【００１０】
以下、図面を参照して本発明の実施の形態を説明する。  
まず図１に基づき、本実施の形態に係わるリストデータ選択システムの構成を説明する。図１は、本実施の形態に係わるリストデータ選択システムの構成を示す模式的構成図である。  
ここでは、車両中のハンズフリーシステムを用いて、ユーザがリストデータとして携帯電話のアドレスデータから所望のアドレスを選択して電話を掛ける場合を例に挙げて説明する。
【００１１】
携帯電話では、通常、表示部の画面上に相手先の名前が所定の順番、例えば「あいうえお順」あるいは「アルファベット順」に表示されるので、ユーザは、ジョグダイヤル等を操作して、相手先の名前の文字列を画面で確認しながら、視覚的に容易にリスト内の所望する相手先の名前の文字列を検索して選択することができる。
【００１２】
しかし、運転中などは、視覚的に文字列を画面上で確認できない状況なため、音声合成技術を用いて、アドレスデータ中の名前を読み上げ、ユーザに、読み上げられた名前の中から所望の相手先を選択させることが有効である。
【００１３】
図１において、車には、リストデータ選択装置としてのハンズフリーユニット１１が搭載されている。ハンズフリーユニット１１は、車載器であり、ステアリング１２に設けられた読み上げ範囲設定用ノブ１３と、マイク１４と、スピーカ１５とに接続されている。さらに、ハンズフリーユニット１１は、携帯電話１６と、無線通信、例えばブルートゥース通信、が可能となっている。また、ステアリング１２には、後述するスイッチ１２ａ、１２ｂが設けられている。
【００１４】
ユーザはハンズフリーユニット１１に対して所定の操作をすると、ハンズフリーユニット１１は、後述するように、携帯電話１６からアドレスデータを読み出して、音声合成して、スピーカ１５から出力する。このとき、ユーザは、ノブ１３を操作することによって、後述する読み上げ範囲を入力すなわち設定することができ、アドレスデータの文字列の全てを読み上げるのではなく、先頭から設定された範囲の文字列の部分だけを読み上げる部分読み上げを、ハンズフリーユニット１１に対して指示することができる。そして、名前が読み上げられているときに、読み上げ方法を変更するためのスイッチ１２ａを押すことによって、その部分読み上げの状態から、アドレスデータの名前の全ての文字列を読み上げる通常の読み上げ状態に変更することができる。そして、読み上げられた名前が所望の相手、すなわち電話を掛けたい相手の場合に、ユーザは、スイッチ１２ｂを押すことによって、選択指示をハンズフリーユニット１１へ出力することができる。ハンズフリーユニット１１は、携帯電話１６に、その選択された電話番号データを送信し、かつ電話を掛ける指示も出力する。その結果、ユーザは、選択した名前の人に携帯電話１６を用いて電話を掛けることができる。
【００１５】
図２は、ハンズフリーユニット１１の構成を示すブロック図である。ハンズフリーユニット１１は、中央処理装置（以下、CPUという）２１と、ROM２２と、RAM２３と、不揮発性メモリであるフラッシュメモリ２４とを有している。CPU２１、ROM２２、RAM２３、及びフラッシュメモリ２４は、バス２５に接続されている。さらに、ハンズフリーユニット１１は、表示部である液晶表示装置（以下、LCDと略す）２６と、LCD２６とバス２５とのインターフェース部（以下、I/Fと略す）２７と、スイッチ１２ａ、１２ｂとバス２５とのI/F２８と、ノブ１３とバス２５とのI/F２９と、マイク１４とバス２５とのI/F３０と、スピーカ１５とバス２５とのI/F３１と、通信ユニット３２と、通信ユニット３２とバス２５とのI/F３３とを有している。I/F２７，２８，２９，３０，３１，３３は、バス２５に接続されている。
【００１６】
ROM２２には、後述するリストデータ選択処理プログラムを含むハンズフリーユニット１１の各種機能を実現するためのプログラムが予め記憶されている。  
CPU２１は、ROM２２に記憶されている各プログラムを読み出してRAM２３に転送して、その各プログラムを実行する。  
フラッシュメモリ２４は、ユーザの設定した各種設定データ等を記憶する。
【００１７】
LCD２６は、各種プログラムの実行において、ユーザに各種情報を含む画面を表示したり、各種設定をするための画面を表示する。  
通信ユニット３２は、ここでは、携帯電話１６とブルートゥース通信を行うためのユニットである。後述するように、ハンズフリーユニット１１は、携帯電話１６からアドレスデータを通信ユニット３２を介して受信する。よって、通信ユニット３２とI/F３３は、外部機器である携帯電話１６から通信により、リストデータを読み出すための通信インターフェース部を構成する。
【００１８】
図３は、携帯電話に記憶されているアドレスデータの例を説明するための図である。アドレスデータは、通常、名前と電話番号の他に、住所等種々のデータを含むが、ここでは説明を簡単にするために、アドレスデータとして、通話相手の名前と電話番号のみを用いて説明する。そして、ここでは、名前の各データが読み上げられる。
【００１９】
アドレスデータ４１は、名前部４２と、電話番号部４３とを含むリストデータである。通常、携帯電話の表示部には、アドレスデータ４１は、名前が所定の順序で、例えば「あいうえお順」に表示される。ユーザは、画面をスクロール等しながら、所望の名前がでてくるまで携帯電話を操作し、カーソルを用いてその所望の名前を選択することによって、電話を掛けることができる。
【００２０】
しかし、名前部４２のリストデータを音声出力する、すなわち名前を順番に読み上げる場合、アドレスデータの読み上げ順序の最後の方にある名前は、遅く読まれる。よって、ユーザは、その名前が読み上げられるまで長い時間を必要とする。よって、ユーザが、電話をかけるために相手の名前を選択するまでに時間が掛かってしまう。
【００２１】
図３に示すように、「あいうえお順」のリストデータの場合、「アオキ」は、リストデータの先頭あるいは先頭の近傍にあるため、早く読み上げられるが、「タナカ」は、リストデータの半ば当たりにあるので、「アオキ」よりは早くは読み上がられない。しかし、「ヨシカワ」は、リストデータの後ろの方にあるため、読み上げが、遅くなってしまう。よって、「ヨシカワ」を選択するまでに時間が多く掛かる。
【００２２】
そこで、このような場合に、本実施の形態のハンズフリーユニット１１は、携帯電話１６から読み出したアドレスデータ中の所定のデータについて、各データの全ての文字列を読み上げるのではなく、ユーザにより設定された範囲の文字列だけを読み上げることによって、ユーザが速く所望のデータを選択できるように構成されている。
【００２３】
図４は、本実施の形態に係るリストデータ選択装置における読み上げ処理の実行手順を説明するための図である。  
アドレスデータ４１中のインデックス部である名前部４２のデータは、リスト構造の入力データ５１であり、その入力データ５１は、表音文字列生成部５２へ入力される。表音文字列生成部５２は、入力データ５１を、音声合成用のデータである表音文字列データ５３に変換して生成する。表音文字列データ５３も、リスト構造のデータである。
【００２４】
一方、読み上げ範囲設定用ノブ１３で設定された設定値は、読み上げ範囲決定部５４に入力され、読み上げ範囲が決定される。表音文字列データ５３と決定された読み上げ範囲データとが、表音文字列抽出部５５に入力される。
【００２５】
表音文字列抽出部５５は、表音文字列の部分データを抽出して音声合成部５６に、出力する。より具体的には、表音文字列抽出部５５は、表音文字列データの先頭から、設定された読み上げ範囲の表音文字列を抽出して出力する読み上げ範囲出力部を構成する。
【００２６】
音声合成部５６は、予め設定された速度で表音文字列を音声合成により読み上げる。より具体的には、音声合成部５６は、表音文字列抽出部５５から出力された表音文字列を読み上げるための処理部である。
【００２７】
なお、ここでは、読み上げ範囲は、ノブ１３を把持して回すことによって、１０段階で、設定することができる。
【００２８】
図５は、ノブ１３の構成を説明するための図である。ノブ１３は、ユーザが手で摘んで、中心軸Ｏ周りに回転させることによって、読み上げ範囲を、１から１０の範囲で設定できるようになっている。図５において、黒の矢印マークに対応する数字が設定値となる。図５は、設定値「１」が設定されていることを示す。
【００２９】
設定値「１０」は、各データ全体を読み上げ範囲とする場合の設定値である。設定値「９」は、各データの前半の９０％の部分だけを読み上げ範囲とする場合の設定値である。設定値「５」は、各データの前半から５０％の部分だけを読み上げ範囲とする場合の設定値である。すなわち、１から１０のいずれかの整数である設定値ｎ（ｎは１から１０のいずれかの整数）は、各データの先頭から（ｎ×１０）％の範囲を読み上げ範囲とする場合の設定値である。
【００３０】
読み上げ範囲決定部５４は、そのノブ１３で設定された設定値に基づいて、各データの読み上げ範囲を決定する処理部である。
【００３１】
そして、表音文字列抽出部５５は、生成された表音文字列データ５３から、読み上げ範囲決定部５４において決定された読み上げ範囲の部分データを抽出する。ここでは、各表音文字列データにおける、その決定された範囲の表音文字列データの部分データが抽出される。具体的には、Ｍを設定値の最大値とし、設定値をｎに設定すると、表音文字列抽出部５５は、入力された表音文字列データの先頭から（ｎ／Ｍ）の範囲のデータだけを抽出する。先頭から読み出す範囲が小さければ、各データの読み上げに掛かる時間は、短くなり、読み出す範囲が大きければ、各データの読み上げに掛かる時間は、長くなる。
【００３２】
抽出された表音文字列の部分データは、音声合成部５６に入力され、スピーカ１５から、読み上げられる。  
ここで、表音文字列抽出部５５が抽出する表音文字列の範囲について説明する。携帯電話のアドレス帳にアドレスデータとして登録できる名前部の読み仮名の文字数には制限があり、登録された読み仮名の文字は、表音文字列に変換される。その表音文字列の文字数にも、通常制限がある。
【００３３】
表音文字列抽出部５５は、各名前の表音文字列データの中から、設定された範囲の表音文字列データを抽出する。  
図６は、その表音文字列データの抽出の例を説明するための図である。例えば、表音文字列の文字数制限の数が、「１２」の場合、ノブ１３が設定値「１」に設定されていれば、全体の１０％を読み上げるので、先頭から１．２文字だけが抽出される。このような小数点の文字数は、小数点以下を切り上げられ、２文字が読み上げられる。よって、図６において、点線Ｄより左側の２文字の部分だけが読み上げられる。
【００３４】
図６の場合、「アオキ」の文字の場合、２文字「ao」だけが抽出されて音声合成部５６に出力される。同様に、「アオヤマ」の文字の場合も、２文字「ao」だけが抽出されて音声合成部５６に出力される。さらに、「タナカ」の文字の場合も、２文字「ta」だけが抽出されて音声合成部５６に出力される。
【００３５】
よって、読み上げ範囲設定用ノブ１３は、読み上げ速さ入力部あるいは読み上げ範囲設定部ということができ、読み上げ範囲決定部５４は、読み上げ速さ判定部ということができる。
【００３６】
なお、ここでは、表音文字列の中から設定された範囲の文字数の部分だけが抽出される例で説明したが、アドレスデータに登録される名前の読み仮名の文字列の先頭から設定された範囲の文字数の部分だけが抽出されるようにしてもよい。
【００３７】
図７は、リストデータ選択装置におけるリストデータ選択処理の流れの例を示すフローチャートである。図７の処理プログラムは、ROM２２に記憶され、CPU２１により実行される。  
まず、CPU２１は、携帯電話１６のアドレス帳から取得した複数のアドレスデータ中の各名前のデータを入力データとし、入力データ５１から表音文字列データ５３を生成する（ステップS1）。このステップS1が、図４の表音文字列生成部５２を構成する。  
CPU２１は、読み上げ範囲設定用ノブ１３により設定された設定値データを入力し（ステップS2）、表音文字列の読み上げ範囲を決定する（ステップS3）。ステップS2とS3が、図４の読み上げ範囲決定部５４を構成する。
【００３８】
そして、CPU２１は、ステップS1において生成された表音文字列データ５３から、決定された読み上げ範囲の表音文字列だけの部分データを抽出する（ステップS4）。ステップS4が、図４の表音文字列抽出部５５を構成する。
【００３９】
ステップS4で抽出された表音文字列は、音声合成部５６に順番に出力され、スピーカ１５から部分データの表音文字列の音声が出力される。すなわち、部分読み上げが行われる（ステップS5）。
【００４０】
部分読み上げにより、図６においては、「アオキ」、「アオヤマ」、・・のように全表音文字列の音声ではなく、「アオ」、「アオ」、・・のように設定された範囲の部分データの表音文字列の音声が、出力される。
【００４１】
よって、各データについて読み上げられる範囲が、名前部４２の全ての表音文字列ではなく、設定された範囲の表音文字列だけであるので、全データを読み上げる時間は、短くなる。すなわち、設定された範囲の表音文字列に対する部分読み上げが行われるので、例えば、上述した図３の場合、リストデータ中の最後の方にあるヨシカワの文字列が読み上げられるまで、従来の全文字列を読み上げる場合に比べて短時間で到達することができる。
【００４２】
部分読み上げの場合、ユーザは、少なくとも最初の表音文字列は含まれるので、ユーザは、出力される音声を聞きながら、所望の名前が近づいてきたところで、読み上げ範囲を名前の全ての文字列に対して行う通常読み上げに変更するように、スイッチ１２ａに対して所定の操作を行う。
【００４３】
例えば、図６においては、「ヨ」という読み上げがされたところで、スイッチ１２ａを押し、部分読み上げを終了させると、通常読み上げ状態に変更され、その後は、「ヨコタ」、「ヨコミゾ」、「ヨシイ」、・・と順番に通常の読み上げ方法によって読み上げられていく。この状態では、全ての表音文字列を読み上げるので、ユーザは、読み上げられた全ての表音文字列を含む名前をきくことができる。そして、「ヨシカワ」が読み上げられたときに、スイッチ１２ｂを押すことによって、I/F２８を介してハンズフリーユニット１１には、選択信号が伝えられる。ハンズフリーユニット１１は、その選択信号を受信した直前に音声合成部５６から出力されたデータがユーザによって選択されたと判定する。すなわち、選択処理が実行される（ステップS7）。
【００４４】
ステップS7では、例えば、ステアリング１２に設けられたスイッチ１２ｂが操作されることによって、直前に読み上げられた名前が選択されたものとする選択処理が実行される。ステップS7の選択処理は、読み上げられた表音文字列の中から指定された表音文字列に対応するリストデータを選択する選択部を構成する。
【００４５】
ステップS7の選択処理では、ハンズフリーユニット１１は、選択された名前の電話番号の情報を携帯電話１６に送信する処理も実行される。その結果、携帯電話１６がその電話番号に電話を掛ける。
【００４６】
このようにして、ハンズフリーシステムにおいて、アドレスデータ中の所定のリストデータを読み上げるときに、設定された範囲の表音文字列のみを読み上げるようにしたので、ユーザは、従来よりも速くデータの選択を行うことができる。
【００４７】
以上のように、本実施の形態によれば、ユーザが設定した範囲のデータだけを抽出して音声出力するようにしたので、ユーザが所望する文字列に到達するまでの時間を短くすることができる。よって、検索の操作性が良くなり、ジョグダイヤルなどでの操作を画面上で参照する場合と同様な操作性を実現することができる。
【００４８】
（第２の実施の形態）
次に、本発明の第２の実施の形態について説明する。  
上述した第１の実施の形態では、部分読み上げ処理においては、抽出された表音文字列は、通常の読み上げ速度で読み上げられているが、第２の実施の形態は、部分読み上げにおいて、高速読み上げがされるようにしている点が第１の実施の形態と異なる。
【００４９】
図８は、本実施の形態に係るリストデータ選択システムの構成を示す模式的構成図である。図９は、本実施の形態に係るハンズフリーユニット１１Aの構成を示すブロック図である。図１０は、本実施の形態に係るリストデータ選択装置における読み上げ処理の実行手順を説明するための図である。図１１は、本実施の形態に係るリストデータ選択装置におけるリストデータ選択処理の流れの例を示すフローチャートである。
【００５０】
なお、各図において、第１の実施の形態で説明した構成要素と同じ構成要素については、同じ符号を付して説明は省略する。
【００５１】
図８に示すように、本実施の形態のハンズフリーシステムにおいて、ノブ１３の近傍に高速読み上げ指定用のスイッチ１３ａが設けられている。ユーザは、このスイッチ１３ａを押すことによって、部分読み上げにおいて高速読み上げを行うように指示することができる。高速読み上げ時の読み上げ速度は、フラッシュメモリ２４に設定されて記憶されている。なお、その速度は、可聴範囲の速度である。よって、スイッチ１３ａを押したときの速度は、フラッシュメモリ２４に設定されている設定値を書き換えることによって変更可能となっている。
【００５２】
スイッチ１３ａの出力は、図９に示すように、I/F２９を介して、CPU２１に入力される。図１０に示すように、スイッチ１３ａが押されたときは、CPU２１は、音声合成部５６に対して、高速読み上げをするように指示を出力する。
【００５３】
図１１に示すように、ステップS4の処理後、読み上げ速度の変更指示、ここでは高速読み上げの指示があるか否かが判定される（ステップS11）。この判定は、スイッチ１３ａが押されたか否かによって行われる。  
読み上げ速度の変更指示がない場合、すなわちステップS11でNOの場合、処理は、ステップS5へ移行し、第１の実施の形態と同様の処理となる。すなわち、部分読み上げが、予め設定された通常の速度で行われる。
【００５４】
読み上げ速度の変更指示がある場合、すなわちステップS11でYESの場合、ステップS5と同様の部分読み上げを行うと同時に、読み上げ速度を高速にする高速読み上げを行う、部分読み上げ及び高速読み上げ処理が実行される(ステップS12)。
【００５５】
ステップS12では、図６においては、「アオ」、「アオ」、・・のように設定された範囲の部分データの表音文字列の音声が、高速で読み上げられる。それ移行は、ステップS6の処理に移行し、第１の実施の形態と同様の処理となる。
【００５６】
以上のように、本実施の形態によれば、第１の実施の形態の効果に加えて、さらにその部分読み上げを高速に行わせることができるので、ユーザは、さらに速くデータの選択を行うことができる。
【００５７】
以上のように、上述した各実施の形態のリストデータ選択装置によれば、ユーザは、リストデータの中から所望のリストデータを速く選択することができる。
【００５８】
なお、上述した例では、図６においては、「アオ」、「アオ」、・・のように設定された範囲の部分データの表音文字列の音声が、たとえ同じ表音文字列であっても読み上げられているが、同じ表音文字列の場合は、複数回読み上げられないようにしてもよい。具体的には、表音文字列抽出部５５は、出力する複数の表音文字列が同じ場合、表音文字列をマージして一回だけ出力する。  
その結果、複数の「ao」のデータは、マージされて、１つの「ao」のデータとされ、「アオ」の音声出力は１回だけなる。
【００５９】
さらなお、上述した各実施の形態では、外部機器として携帯電話であって、リストデータとしてアドレスデータの例を説明したが、外部機器としては、携帯音楽プレーヤであって、リストデータは、記憶されている曲目データでも、上述した効果を得ることができる。
【００６０】
さらに、上述したリストデータ選択装置は、車載器の例で説明したが、目の不自由な者が音声合成されたリストデータを聞いて所望のデータを選択するような場合の装置でもよい。
【００６１】
なお、以上説明した動作を実行するプログラムは、コンピュータプログラム製品として、フレキシブルディスク、ＣＤ−ＲＯＭ等の可搬媒体や、ハードディスク等の記憶媒体に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明のリストデータ選択装置を実現することができる。
【００６２】
本発明は、上述した実施の形態に限定されるものではなく、本発明の要旨を変えない範囲において、種々の変更、改変等が可能である。
【図面の簡単な説明】
【００６３】
【図１】本発明の第１の実施の形態に係わるリストデータ選択システムの構成を示す模式的構成図である。
【図２】本発明の第１の実施の形態に係わるハンズフリーユニットの構成を示すブロック図である。
【図３】本発明の第１の実施の形態に係わる、携帯電話に記憶されているアドレスデータの例を説明するための図である。
【図４】本発明の第１の実施の形態に係わる、本実施の形態に係るリストデータ選択装置における読み上げ処理の実行手順を説明するための図である。
【図５】本発明の第１の実施の形態に係わる、ノブの構成を説明するための図である。
【図６】本発明の第１の実施の形態に係わる、その表音文字列データの抽出の例を説明するための図である。
【図７】本発明の第１の実施の形態に係わる、リストデータ選択装置におけるリストデータ選択処理の流れの例を示すフローチャートである。
【図８】本発明の第２の実施の形態に係わるリストデータ選択システムの構成を示す模式的構成図である。
【図９】本発明の第２の実施の形態に係るハンズフリーユニットの構成を示すブロック図である。
【図１０】本発明の第２の実施の形態に係るリストデータ選択装置における読み上げ処理の実行手順を説明するための図である。
【図１１】本発明の第２の実施の形態に係るリストデータ選択装置におけるリストデータ選択処理の流れの例を示すフローチャートである。
【符号の説明】
【００６４】
１１、１１A  ハンズフリーユニット、１２  ステアリング、１２ａ、１２ｂ、１３ａ  スイッチ、１３  読み上げ範囲設定用ノブ、１４  マイク、１５  スピーカ、１６  携帯電話、２５  バス
【図１】
2010002864.tif 000003
【図２】
2010002864.tif 000004
【図３】
2010002864.tif 000005
【図４】
2010002864.tif 000006
【図５】
2010002864.tif 000007
【図６】
2010002864.tif 000008
【図７】
2010002864.tif 000009
【図８】
2010002864.tif 000010
【図９】
2010002864.tif 000011
【図１０】
2010002864.tif 000012
【図１１】
2010002864.tif 000013